(57)【要約】【課題】ノイズを安定して抑制でき、小形化が可能なフィルタを提供する。【解決手段】互いに磁気結合する巻線４，５と、一端が巻線４の中間タップに接続されたキャパシタ６ａと、一端が巻線５の中間タップに接続されたキャパシタ６ｂと、キャパシタ６ａ，６ｂの他端同士の接続点に一端が接続されたコイル７とを基板８上に実装して構成されると共に、導電線２１ａの中間への巻線４の挿入、導電線２１ｂの中間への巻線５の挿入、およびコイル７の他端の接地が可能に構成され、両キャパシタ６ａ，６ｂの他端同士の接続点と、コイル７の他端との間にキャパシタＣが設けられている。【選択図】図１
2005167936.tif 000002
【特許請求の範囲】
【請求項１】
中間タップを有する第１の巻線と、
中間タップを有すると共に前記第１の巻線と磁気的に結合する第２の巻線と、
一端が前記第１の巻線の前記中間タップに接続された第１のキャパシタと、
一端が前記第２の巻線の前記中間タップに接続された第２のキャパシタと、
前記第１および第２のキャパシタの他端同士の接続点に一端が接続されたコイルとをプリント配線基板上に実装して構成されると共に、第１の導電線の中間への前記第１の巻線の挿入、第２の導電線の中間への前記第２の巻線の挿入、および前記コイルの他端の接地が可能に構成され、
前記他端同士の接続点と、前記コイルの前記他端との間に第３のキャパシタが設けられているフィルタ。
【請求項２】
前記第１の巻線および前記第２の巻線は、インダクタンスが２．５２ｍＨ±２０％の範囲内に規定され、
前記コイルは、インダクタンスが６３０μＨ±２０％の範囲内に規定され、
前記第１および第２のキャパシタは、容量が４７００ｐＦ±２０％の範囲内に規定され、
前記第３のキャパシタは、容量が０．２５ｐＦ以上０．７５ｐＦ以下の範囲内となるように構成されている請求項１記載のフィルタ。
【請求項３】
前記第３のキャパシタは、前記容量が０．３ｐＦ以上０．４ｐＦ以下の範囲内となるように構成されている請求項２記載のフィルタ。
【請求項４】
前記プリント配線基板には、前記他端同士の接続点および前記コイルの前記一端を接続する第１プリント配線パターンが形成され、
前記第３のキャパシタは、前記第１プリント配線パターンの一部と、前記プリント配線基板に形成されているアースパターンにおける前記第１プリント配線パターンの前記一部に対向する部位との間で形成されるキャパシタで構成されている請求項１から３のいずれかに記載のフィルタ。
【発明の詳細な説明】
【技術分野】
【０００１】
本発明は、２本の導電線上を伝搬するコモンモードノイズを抑制可能なフィルタに関するものである。
【背景技術】
【０００２】
この種のフィルタとして、特許第２７８４７８３号公報に開示されたフィルタが知られている。このフィルタは、同公報中の第６図に示すように、２本の導電線のそれぞれに挿入された２つのコイルと、各コイルの巻線の中間部位とアース間に設けられた２つのキャパシタとで構成されている。
【０００３】
【特許文献１】特許第２７８４７８３号公報（第６図）
【発明の開示】
【発明が解決しようとする課題】
【０００４】
ところが、このフィルタには、以下の問題点がある。すなわち、このフィルタでは、インダクタンスおよびキャパシタンスで決まる固有の共振周波数を有しているため、所望の減衰量を狭い周波数範囲でしか得ることができないという問題点がある。
【０００５】
また、電力輸送用の導電線に挿入されるフィルタに対しては、電力輸送用の電流が流れている状態で所望の特性が得られることと、温度上昇に対する対策とが要求される。このため、通常、電力変換回路用のフィルタにおけるインダクタンス素子では、磁芯として、ギャップ付きのフェライト磁芯が用いられている。しかしながら、このようなインダクタンス素子では、その特性が空芯のインダクタンス素子の特性に近づくため、所望の特性を実現するためには巻線の巻回数を増加させる必要が生じる。その結果、インダクタンス素子が大型化し、ひいてはフィルタ自体が大型化するという問題点がある。
【０００６】
本発明は、かかる問題点に鑑みてなされたものであり、広い周波数範囲においてノイズを安定して抑制でき、かつ小形化が可能なフィルタを提供することを主目的とする。
【課題を解決するための手段】
【０００７】
上記目的を達成すべく本発明に係るフィルタは、中間タップを有する第１の巻線と、中間タップを有すると共に前記第１の巻線と磁気的に結合する第２の巻線と、一端が前記第１の巻線の前記中間タップに接続された第１のキャパシタと、一端が前記第２の巻線の前記中間タップに接続された第２のキャパシタと、前記第１および第２のキャパシタの他端同士の接続点に一端が接続されたコイルとをプリント配線基板上に実装して構成されると共に、第１の導電線の中間への前記第１の巻線の挿入、第２の導電線の中間への前記第２の巻線の挿入、および前記コイルの他端の接地が可能に構成され、前記他端同士の接続点と、前記コイルの前記他端との間に第３のキャパシタが設けられている。
【０００８】
この場合、前記第１の巻線および前記第２の巻線のインダクタンスを２．５２ｍＨ±２０％の範囲内に規定し、前記コイルのインダクタンスを６３０μＨ±２０％の範囲内に規定し、前記第１および第２のキャパシタの容量を４７００ｐＦ±２０％の範囲内に規定し、前記第３のキャパシタを容量が０．２５ｐＦ以上０．７５ｐＦ以下の範囲内となるように構成するのが好ましい。
【０００９】
また、前記第３のキャパシタを前記容量が０．３ｐＦ以上０．４ｐＦ以下の範囲内となるように構成するのが好ましい。
【００１０】
また、前記他端同士の接続点および前記コイルの前記一端を接続する第１プリント配線パターンを前記プリント配線基板に形成し、前記第１プリント配線パターンの一部と、前記プリント配線基板に形成されているアースパターンにおける前記第１プリント配線パターンの前記一部に対向する部位との間で形成されるキャパシタで前記第３のキャパシタを構成するのが好ましい。
【発明の効果】
【００１１】
本発明に係るフィルタによれば、第１〜第３のキャパシタとコイルとを一対の導電線に挿入される第１の巻線および第２の巻線の中間タップに付加しただけの簡単な構成のため、フィルタを小形化しつつ、広い周波数範囲においてコモンモードノイズを効果的に抑制することができる。しかも、第１および第２のキャパシタの他端同士の接続点とコイルの他端との間に第３のキャパシタを設け、この容量を適宜調整することで、コモンモードノイズを安定して抑制できるフィルタ特性を有するフィルタを構成することができる。
【００１２】
また、本発明に係るフィルタによれば、第１の巻線および第２の巻線のインダクタンスを２．５２ｍＨ±２０％の範囲内に規定し、コイルのインダクタンスを６３０μＨ±２０％の範囲内に規定し、第１および第２のキャパシタの容量を４７００ｐＦ±２０％の範囲内に規定し、第３のキャパシタを容量が０．２５ｐＦ以上０．７５ｐＦ以下の範囲内となるように構成したことにより、コモンモードノイズを安定して抑制できるフィルタ特性を有するフィルタを実現することができる。
【００１３】
また、本発明に係るフィルタによれば、第３のキャパシタを容量が０．３ｐＦ以上０．４ｐＦ以下の範囲内となるように構成したことにより、コモンモードノイズをさらに安定して抑制できるフィルタ特性を有するフィルタを実現することができる。
【００１４】
また、本発明に係るフィルタによれば、他端同士の接続点およびコイルの一端を接続する第１プリント配線パターンをプリント配線基板に形成し、第１プリント配線パターンの一部と、プリント配線基板に形成されているアースパターンにおける第１プリント配線パターンの一部に対向する部位との間で形成されるキャパシタで第３のキャパシタを構成したことにより、プリント配線板に実装する部品点数を少なくすることができる。したがって、部品点数の削減による低コスト化および信頼性の向上を図ることができる。
【発明を実施するための最良の形態】
【００１５】
以下、本発明に係るフィルタの最良の形態について、添付図面を参照して説明する。
【００１６】
最初に、フィルタ１の構成について、図面を参照して説明する。
【００１７】
フィルタ１は、図１に示すように、一対の端子部２ａ，２ｂ、他の一対の端子部３ａ，３ｂ、第１の巻線４、第２の巻線５、直列回路６、コイル７、キャパシタＣ、抵抗Ｒおよびプリント配線基板（以下、「基板」ともいう）８を備えて構成されている。基板８は、図２に示すように、表面側ほぼ全面にアースパターン８ａが形成されている。また、基板８は、絶縁被膜（例えばレジスト被膜）がアースパターン８ａの表面に形成されることにより、半田付けで固定される第１の巻線４、第２の巻線５およびコイル７等の電子部品をこの表面に実装可能に構成されている。なお、各電子部品を実装するために基板８に形成するプリント配線パターンの配置については、使用する電子部品に応じて適宜規定することができる。したがって、以下、プリント配線パターンの一例を参照して説明するものとする。
【００１８】
第１の巻線４は、例えば、磁芯（一例としてトロイダルコア）９に線材が同じ回数だけ巻回されてインダクタンスが６３０μＨ±２０％の範囲内にそれぞれ規定された巻線４ａおよび巻線４ｂを備えて構成されている。同様にして、第２の巻線５も、磁芯９に線材が同じ回数（巻線４ａと同じ回数）だけ巻回されてインダクタンスが６３０μＨ±２０％の範囲内にそれぞれ規定された巻線５ａおよび巻線５ｂを備えて構成されている。また、磁芯９は、各巻線４ａ，４ｂ，５ａ，５ｂが巻回された状態で基板８の表面に実装されている。また、巻線４ａの他端（巻線４ｂ側の端部）と巻線４ｂの一端は、図１，２に示すように、基板８の裏面側に形成されたプリント配線パターン１０ａに接続されている。また、巻線４ａの一端は端子部２ａに接続され、巻線４ｂの他端は端子部３ａに接続されている。これにより、巻線４ａおよび巻線４ｂは互いに直列に接続された状態で、端子部２ａと端子部３ａとの間に挿入された状態となる。また、プリント配線パターン１０ａは、第１の巻線４の中間タップとして機能する。この巻線４ａと巻線４ｂとの接続により、巻線４ａの一端から巻線４ｂの他端までの第１の巻線４全体としてのインダクタンスは２．５２ｍＨ±２０％の範囲内となるように構成されている。
【００１９】
一方、巻線５ａの他端（巻線５ｂ側の端部）と巻線５ｂの一端は、図１，２に示すように、基板８の裏面側に形成されたプリント配線パターン１０ｂに接続されている。また、巻線５ａの一端は端子部２ｂに接続され、巻線５ｂの他端は端子部３ｂに接続されている。これにより、巻線５ａおよび巻線５ｂは互いに直列に接続された状態で、端子部２ｂと端子部３ｂとの間に挿入された状態となる。また、プリント配線パターン１０ｂは、第２の巻線５の中間タップとして機能する。この巻線５ａと巻線５ｂとの接続により、巻線５ａの一端から巻線５ｂの他端までの第２の巻線５全体としてのインダクタンスは２．５２ｍＨ±２０％の範囲内となるように構成されている。以上の構成により、第１の巻線４および第２の巻線５は、互いに磁気的に結合されて、磁芯９と相俟って、コモンモードノイズを抑制し、かつノーマルモード信号を通過させる一般的なコモンモードコイルを構成する。
【００２０】
直列回路６は、図１に示すように、互いに直列に接続された一対のキャパシタ（第１のキャパシタ６ａおよび第２のキャパシタ６ｂ）で構成されている。この場合、第１のキャパシタ６ａおよび第２のキャパシタ６ｂは、それぞれ４７００ｐＦ±２０％の範囲内に規定されて、図２に示すように、基板８の裏面に実装されている。また、第１のキャパシタ６ａおよび第２のキャパシタ６ｂは、基板８の裏面に形成されたプリント配線パターン１１を介して互いに直列に接続されている。また、直列回路６は、その一端（第１のキャパシタ６ａの一端）がプリント配線パターン（第１の巻線４の中間タップ）１０ａに接続されると共に、その他端（第２のキャパシタ６ｂの一端）がプリント配線パターン（第２の巻線５の中間タップ）１０ｂに接続されている。コイル７は、例えば、磁芯（一例としてトロイダルコア）７ａ、および磁芯７ａに線材を巻回して形成した巻線７ｂを備えて構成されている。この場合、コイル７のインダクタンスは、各巻線４ａ，４ｂ，５ａ，５ｂのインダクタンスと同等となるように、６３０μＨ±２０％の範囲内に規定されている。また、コイル７は、基板８の表面に実装されて、その巻線７ｂの一端および他端が基板８に形成された貫通孔を経由して基板８の裏面側に突出している。なお、巻線７ｂの一端については、例えば、図２に示すように、基板８の裏面側に形成されているプリント配線パターン１１内のランド１２に半田付けされることによってプリント配線パターン１１と接続されている。したがって、巻線７ｂの一端は、プリント配線パターン１１を介して、第１のキャパシタ６ａおよび第２のキャパシタ６ｂの他端同士の接続点に接続されている。ここで、プリント配線パターン１１が、本発明における第１プリント配線パターンに相当する。
【００２１】
また、図２に示すように、プリント配線パターン１１の一部は、基板８の表面側におけるアースパターン８ａの形成部位に対向するようにして形成されている。したがって、キャパシタＣは、プリント配線パターン１１の一部と、基板８に形成されているアースパターン８ａにおけるプリント配線パターン１１のその一部に対向する部位Ａｃとの間で形成されるキャパシタで構成されている。ここで、キャパシタＣが、本発明における第３のキャパシタに相当し、第１の巻線４および第２の巻線５の各両端に存在する各浮遊容量を相殺することにより、後述するように、第１の巻線４側に発生した電圧Ｖｉに対する巻線４ａとコイル７とによる分圧動作を確実化すると共に第２の巻線５側に発生した電圧Ｖｉに対する巻線５ａとコイル７とによる分圧動作を確実化する。また、キャパシタＣの静電容量（本発明における容量）については、プリント配線パターン１１の一部とアースパターン８ａとが対向する部位Ａｃの面積の増減、基板８の材質変更による誘電率の変更、および基板８の板厚の変更によるプリント配線パターン１１とアースパターン８ａとの間の距離の変更などのいずれか１つ以上を採用して任意の値に規定することができる。一方、巻線７ｂの他端については、例えば、同図に示すように、基板８の裏面側に形成されているアースパターン（接地用端子）１４内のランド１３に半田付けされて接地されている。なお、アースパターン１４は、基板８に形成された複数のスルーホールＴＨを介して基板８の表面に形成されたアースパターン８ａに接続されている。
【００２２】
抵抗Ｒは、コイル７の両端間のインピーダンスを調整する素子であって、一例として、抵抗値が３．６ｋΩのタイプが用いられている。また、抵抗Ｒは、図２に示すように、基板８の裏面に実装されてている。この場合、抵抗Ｒの一端は、プリント配線パターン１１に半田付けされることにより、プリント配線パターン１１を介して第１のキャパシタ６ａおよび第２のキャパシタ６ｂの各他端と巻線７ｂの一端との接続点に接続され、他端は、アースパターン１４に半田付けされて接地されている。
【００２３】
次に、フィルタ１の動作について図１を参照して説明する。なお、フィルタ１は、コモンモードノイズ抑制対象の導電線（第１の導電線）２１ａの中間に第１の巻線４が挿入され、導電線（第２の導電線）２１ｂの中間に第２の巻線５が挿入された状態で装着されている。また、基板８のアースパターン１４は、接地されている。この状態において、コモンモードの電圧（コモンモードノイズ）Ｖｉが端子部２ａ，２ｂ間に印加された際には、第１の巻線４の左端と接地間、および第２の巻線５の左端と接地間にそれぞれ電圧Ｖｉが発生する。この場合、第１の巻線４側に発生した電圧Ｖｉは巻線４ａとコイル７とによって分圧されて、巻線４ａの両端間とコイル７の両端間にそれぞれ１／２Ｖｉの電圧が発生する。この場合、キャパシタＣが、第１の巻線４および第２の巻線５の各両端に存在する各浮遊容量を相殺して、この分圧動作を確実化する。同様にして、第２の巻線５側に発生した電圧Ｖｉは巻線５ａとコイル７とによって分圧されて、巻線５ａの両端間とコイル７の両端間にそれぞれ１／２Ｖｉの電圧が発生する。この場合にも、キャパシタＣが、第１の巻線４および第２の巻線５の各両端に存在する各浮遊容量を相殺して、この分圧動作を確実化する。なお、同図中の矢印は、矢印方向がより高い電位であることを表している。また、巻線４ａの両端間に発生した電圧１／２Ｖｉに応じて、巻線４ｂの両端間にも電圧１／２Ｖｉが発生する。その結果、端子部３ａと接地間の電圧Ｖｏ１は、巻線４ｂの両端間の電圧１／２Ｖｉとコイル７の両端間の電圧１／２Ｖｉとが相殺されることにより、原理的にゼロボルトとなる。同様にして、端子部３ｂと接地間の電圧Ｖｏ２は、巻線５ｂの両端間の電圧１／２Ｖｉとコイル７の両端間の電圧１／２Ｖｉとが相殺されることにより、原理的にゼロボルトとなる。また、逆に、各端子部３ａ，３ｂにコモンモードの電圧が印加されたときも、上記と同様にして、端子部２ａ，２ｂに発生するコモンモードの電圧は、原理的にゼロボルトになる。
【００２４】
また、フィルタ１は、上記したように、一方の端子部２ａ，２ｂ（または端子部３ａ，３ｂ）にコモンモードの電圧Ｖｉが印加されたときに、他方の端子部３ａ，３ｂ（または端子部２ａ，２ｂ）に生じるコモンモードの電圧を原理的にはゼロボルトにするように作動するが、現実的には、極めて困難である。その一方、発明者が鋭利研究することで、以下のことが判明した。つまり、フィルタ１のフィルタ特性は、プリント配線パターン１１（第１のキャパシタ６ａと第２のキャパシタ６ｂとの接続点）および接地の間に生じるキャパシタＣの静電容量を変更することで変化する。このため、キャパシタＣの静電容量を最適値に調整することにより、コモンモードノイズを安定して抑制できるフィルタ特性を有するフィルタ１が実現される可能性がある。したがって、発明者は、実験を重ねた結果、上記のキャパシタＣとして適した静電容量の値を見出した。この値に関しては、後記する実施例で具体的に詳述する。
【００２５】
このように、このフィルタ１によれば、第１および第２のキャパシタ６ａ，６ｂで構成される直列回路６、コイル７、およびキャパシタＣを一対の導電線２１ａ，２１ｂにそれぞれ挿入される第１の巻線４および第２の巻線５の中間タップに付加しただけの簡単な構成のため、フィルタ１を小形化しつつ、広い周波数範囲においてコモンモードノイズを効果的に抑制することができる。しかも、キャパシタＣの静電容量を最適値に調整することにより、コモンモードノイズを安定してほぼゼロボルトに抑制することができる。
【００２６】
次に、具体的に、実施例を挙げて本発明を詳細に説明する。
【００２７】
図２に示すように、プリント配線パターン１１の一部と、アースパターン８ａの一部とを部位Ａｃにおいて対向させてキャパシタＣを形成し、その部位Ａｃの対向面積を変更することによってキャパシタＣの静電容量を０．２５ｐＦ、０．３ｐＦ、０．４ｐＦ、０．５ｐＦ、０．７５ｐＦにそれぞれ形成した基板８を用いて、上記のフィルタ１と同じ構成要素を有するサンプルを作製して実施例とした。また、部位Ａｃの面積を変更してキャパシタＣの静電容量を１ｐＦおよび２ｐＦにそれぞれ形成した基板８と、プリント配線パターン１１に対向する部位にアースパターン８ａを形成せずに、キャパシタＣの静電容量をほぼ０ｐＦにしたサンプル基板とを用いて、キャパシタＣ以外の他の構成要素については上記のフィルタ１と同じ構成要素を有するサンプルを作製して比較例とした。また、実施例および比較例に係るフィルタでは、３０ｍｍ×３０ｍｍの大きさで、厚みが１．６ｍｍのガラスエポキシ樹脂製基板（誘電率：約４．０）を基板８として使用した。
【００２８】
次いで、実施例および比較例に係るフィルタについて、コモンモードノイズ（コモンモード信号）の減衰量の周波数特性を測定した。この測定結果を図３，４に示す。なお、両図では、ゲインが小さいほど、コモンモード信号の減衰量が大きいことを表している。また、同図中の符号Ａで示す線は、参考として、ＣＩＳＰＲ２２のクラスＢ（電子機器が発生するノイズに対する規格）で規定されるリミットを表しており、フィルタ特性は、このリミットを満足していることが望ましい。
【００２９】
図３，４によれば、キャパシタＣを２ｐＦとした比較例に係るフィルタでは約１５ＭＨｚ以上の周波数において、キャパシタＣを１ｐＦとした比較例に係るフィルタでは約２４ＭＨｚ以上の周波数において、およびキャパシタＣを０ｐＦとした比較例に係るフィルタでは約１６ＭＨｚ以上２０ＭＨｚ以下の周波数範囲において、ＣＩＳＰＲ２２のクラスＢのリミットを満足する減衰量を確保できていない。一方、キャパシタＣを０．７５ｐＦとした実施例に係るフィルタでは約２６ＭＨｚ以上の周波数において、およびキャパシタＣを０．５ｐＦとした実施例に係るフィルタでは約２９ＭＨｚ以上の周波数において、ＣＩＳＰＲ２２のクラスＢのリミットを満足する減衰量を十分には確保できていないものの、２５ＭＨｚ以下の周波数においては、ＣＩＳＰＲ２２のクラスＢのリミットを十分に満足しており、キャパシタＣの静電容量を調整したことによって広い周波数範囲においてコモンモードノイズを抑制している効果を確認することができた。また、キャパシタＣが０．２５ｐＦ、０．３ｐＦおよび０．４ｐＦの実施例に係るフィルタでは、ＣＩＳＰＲ２２のクラスＢで規定される１５０ｋＨｚ以上３０ＭＨｚ以下の周波数範囲の全域に亘ってリミット以下となる高い減衰量を確保できる性能を有することが確認された。ただし、キャパシタＣが０．２５ｐＦの実施例に係るフィルタでは、約１３ＭＨｚ以上２０ＭＨｚ以下の周波数範囲において、減衰量がＣＩＳＰＲ２２のクラスＢのリミットに対して１ｄＢ以内の値となる。したがって、キャパシタＣの静電容量が０．３ｐＦ以上０．４ｐＦ以下の実施例に係るフィルタにおいて最良のフィルタ特性を実現できることが確認された。
【００３０】
以上のように、キャパシタＣの静電容量を０．２５ｐＦ以上０．７５ｐＦ以下の範囲内に規定することにより、広い周波数範囲においてコモンモードノイズを効果的かつ安定的に抑制できるフィルタ１を実現することができる。また、キャパシタＣの静電容量を０．３ｐＦ以上０．４ｐＦ以下の範囲内に規定することにより、より広い周波数範囲においてコモンモードノイズを最も効果的かつ安定的に抑制できるフィルタ１を実現することができる。
【００３１】
なお、本発明は、上記の構成に限定されない。例えば、プリント配線パターン１１の一部とアースパターン８ａとを対向させてキャパシタＣを形成したフィルタ１について上記したが、図５に示すフィルタ１Ａのように、プリント配線パターン１１とアースパターン８ａとによってキャパシタＣを形成することなく、電子部品としてのコンデンサでキャパシタＣを構成することもできる。この場合、コンデンサの静電容量としては、０．２５ｐＦ以上０．７５ｐＦ以下の範囲内（好ましくは０．３ｐＦ以上０．４ｐＦ以下の範囲内）に設定する。なお、フィルタ１Ａについては、フィルタ１における構成要素と同一の機能を有する構成要素については同一の符号を付して重複した説明を省略する。この場合、キャパシタＣは、同図に示すように、基板８の裏面に実装されて、その一端がプリント配線パターン１１に半田付けされ、他端がアースパターン１４に半田付けされている。この構成によれば、フィルタ１と比較して、キャパシタＣの分の部品点数が増えるものの、キャパシタＣの静電容量の変更に伴うアースパターン８ａの形状等（基板８の誘電率や板厚を含む）を変更することなく、フィルタ１と同等のフィルタ特性を簡易に実現することができる。
【図面の簡単な説明】
【００３２】
【図１】フィルタ１の回路図である。
【図２】フィルタ１のキャパシタ６ａ，６ｂ、コイル７および抵抗Ｒの接続状態とキャパシタＣの形成状態との一例を示す基板８の表面側から見た平面図である。
【図３】実施例および比較例についてのコモンモード信号の減衰量の０．１ＭＨｚ以上１００ＭＨｚ以下の周波数特性図である。
【図４】図３における１０ＭＨｚ以上１００ＭＨｚ以下の周波数範囲における拡大図である。
【図５】フィルタ１Ａのキャパシタ６ａ，６ｂ、コイル７、キャパシタＣおよび抵抗Ｒの接続状態の一例を示す基板８の表面側から見た平面図である。
【符号の説明】
【００３３】
１，１Ａ  フィルタ
４  第１の巻線
５  第２の巻線
６ａ，６ｂ，Ｃ  キャパシタ
７  コイル
８  基板
８ａ  アースパターン
１１  プリント配線パターン
２１ａ，２１ｂ  導電線
【図１】
2005167936.tif 000003
【図２】
2005167936.tif 000004
【図３】
2005167936.tif 000005
【図４】
2005167936.tif 000006
【図５】
2005167936.tif 000007